(57)【要約】【課題】遊技性を向上させた弾球遊技機用の遊技部品を提供する。【解決手段】本発明に係る弾球遊技機用の遊技部品であるセンター役物５０は、飾り部材５１の周部近傍に、環状に形成されて周方向に回転可能な回転部材７０が配設されるとともに、内部空間５２のステージ部５２ａに入球した遊技球を特別入賞口５６もしくは球排出口５７のいずれか一方に振り分けて導く振り分け装置が、回転部材７０に複数配設され、回転部材７０を回転させることにより、複数の振り分け装置８０，８５，９０，９５におけるいずれか一つを、内部空間５２のステージ部５２ａに入球した遊技球を振り分けることが可能な振り分け位置に選択的に位置させることができるように構成される。【選択図】図３
2008079785.tif 000002
【特許請求の範囲】
【請求項１】
所定の遊技領域が設けられた遊技盤を有する弾球遊技機用の遊技部品であって、
前記遊技領域に設けられ、遊技球が通過可能な入球口および、前記入球口を通過した遊技球が入球可能な内部空間を有する飾り部材を備え、
前記飾り部材に、前記内部空間に入球した遊技球が通過可能な入賞口および、前記内部空間に入球した遊技球を前記飾り部材の外部に排出するための球排出口が形成されており、
前記飾り部材の周部近傍に、環状もしくは枠状に形成されて周方向に回転可能な回転部材が配設されるとともに、
前記内部空間に入球した遊技球を前記入賞口もしくは前記球排出口のいずれか一方に振り分けて導く振り分け装置が、前記回転部材に複数配設され、
前記回転部材を回転させることにより、前記複数の前記振り分け装置におけるいずれか一つを、前記内部空間に入球した遊技球を前記振り分けることが可能な振り分け位置に選択的に位置させることができるように構成されることを特徴とする弾球遊技機用の遊技部品。
【請求項２】
遊技の展開に応じて前記回転部材が断続的に回転することにより、前記複数の前記振り分け装置におけるいずれか一つが前記振り分け位置に位置して停止するように構成されることを特徴とする請求項１に記載の弾球遊技機用の遊技部品。
【請求項３】
遊技の展開に応じて前記入球口を開閉可能な開閉装置を有して構成されることを特徴とする請求項１もしくは請求項２に記載の弾球遊技機用の遊技部品。
【発明の詳細な説明】
【技術分野】
【０００１】
本発明は、パチンコ機に代表される弾球遊技機用の遊技部品に関する。
【背景技術】
【０００２】
弾球遊技機には、第１種パチンコ遊技機や、第２種パチンコ遊技機と称されるものがあり、従来から広く親しまれている。第１種パチンコ遊技機では、遊技盤の中央奥部に液晶パネル等を利用した図柄表示装置が設けられ、表示画面の外周に中央飾りと称される枠状の遊技部品が取り付けられている。遊技盤面には中央飾りの下側に位置して始動入賞装置と呼ばれる固定または可変の入賞口（始動入賞口）を有した入賞装置が設けられるとともに、その下側にアタッカー装置と呼ばれる大型の入賞口（大入賞口）およびこの大入賞口を開閉する開閉扉を有した開閉型入賞装置が設けられている。そして、始動入賞装置に遊技球が入賞したことにより、図柄表示装置に表示される図柄が所定時間変動表示された後停止され、この停止図柄の組み合わせが特定の図柄の組み合わせに該当する場合に大入賞口が開放されて、遊技者に有利な特別遊技状態となるように構成されている。
【０００３】
また、第２種パチンコ遊技機では、側部に形成された大入賞口を通じて遊技球が内部に入球可能な役物が遊技盤の中央部に設けられるとともに、大入賞口を開閉可能な羽根部材を備えた開閉型入賞装置が役物の側部に取り付けられている。そして、遊技盤面に設けられた始動口を遊技球が通過することで羽根部材が大入賞口を開放し、羽根部材に拾われて大入賞口を通過（入賞）した遊技球が役物内のＶゾーンと称される特別入賞口に飛び込むと、羽根部材が大入賞口を比較的長い時間開放して、遊技者に有利な特別遊技状態となるように構成されている。
【０００４】
なお、遊技内容を多様化させるため、遊技盤の前面側に沿うように正逆回転可能に設けられて、正逆いずれか一方向に回転している時には遊技球を始動入賞口に入賞し易い特定経路に振り分け、他方向に回転している時には遊技球を前記特定経路より始動入賞口に入賞し難い一般経路に振り分ける球経路振り分け手段を備えた第１種パチンコ遊技機も提案されている（例えば、特許文献１を参照）。
【特許文献１】特開２００５−３１９１６８号公報
【発明の開示】
【発明が解決しようとする課題】
【０００５】
しかしながら、従来の弾球遊技機（特に、第２種パチンコ遊技機）においては、役物（もしくは中央飾り）内に達した遊技球が転がり移動するパターンはあまり多くなく、単調なものになっていた。
【０００６】
本発明は、このような問題に鑑みて成されたものであり、遊技性を向上させた弾球遊技機用の遊技部品を提供することを目的とする。
【課題を解決するための手段】
【０００７】
このような目的達成のため、本発明に係る弾球遊技機用の遊技部品（例えば、実施形態におけるセンター役物５０）は、所定の遊技領域が設けられた遊技盤を有する弾球遊技機（例えば、実施形態におけるパチンコ機ＰＭ）用の遊技部品であって、遊技領域に設けられ、遊技球が通過可能な入球口および、入球口を通過した遊技球が入球可能な内部空間を有する飾り部材を備え、飾り部材に、内部空間に入球した遊技球が通過可能な入賞口および、内部空間に入球した遊技球を飾り部材の外部に排出するための球排出口が形成される。そして、飾り部材の周部近傍に、環状もしくは枠状に形成されて周方向に回転可能な回転部材が配設されるとともに、内部空間に入球した遊技球を入賞口もしくは球排出口のいずれか一方に振り分けて導く振り分け装置が、回転部材に複数配設され、回転部材を回転させることにより、複数の振り分け装置におけるいずれか一つを、内部空間に入球した遊技球を振り分けることが可能な振り分け位置に選択的に位置させることができるように構成される。
【０００８】
また、上述の発明において、遊技の展開に応じて回転部材が断続的に回転することにより、複数の振り分け装置におけるいずれか一つが振り分け位置に位置して停止するように構成されることが好ましい。
【０００９】
さらに、上述の発明において、遊技の展開に応じて入球口を開閉可能な開閉装置（例えば、実施形態における第２大入賞装置６０）を有して構成されることが好ましい。
【発明の効果】
【００１０】
本発明に係る弾球遊技機用の遊技部品によれば、回転部材を回転させることにより、複数の振り分け装置におけるいずれか一つを、内部空間に入球した遊技球を振り分けることが可能な振り分け位置に選択的に位置させることができるように構成されるため、複数の振り分け装置により遊技球を振り分けるパターンを増やすことが可能になり、遊技性を向上させることができる。
【００１１】
また、遊技の展開に応じて回転部材が断続的に回転することにより、複数の振り分け装置におけるいずれか一つが振り分け位置に位置して停止するように構成されることで、振り分け装置が振り分け位置に位置しない状態で遊技球が内部空間を転がり落ちてしまうのを防止することができる。
【００１２】
さらに、遊技の展開に応じて入球口を開閉可能な開閉装置を有して構成されることで、例えば、回転部材の回転中は開閉装置により入球口を閉鎖しておくようにすれば、振り分け装置が振り分け位置に位置しない状態で遊技球が内部空間を転がり落ちてしまうのをより確実に防止することができる。
【発明を実施するための最良の形態】
【００１３】
以下、本発明の好ましい実施形態について図面を参照しながら説明する。本発明に係る遊技部品（センター役物５０）を備えた弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１４】
パチンコ機ＰＭは、図１に示すように、外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１５】
前枠２の前面側には、前枠２の前面域に合わせた方形状のガラス扉５および球皿６が正面左側に設けられたヒンジ機構７ａ，７ｂ，７ｃを利用して横開き開閉および着脱可能に組付けられ、正面右側の施錠装置４および球皿施錠装置（図示せず）により前枠２の前面を覆う閉鎖状態に保持される。球皿６の右側下部には遊技球の発射操作を行う操作ハンドル８が取り付けられている。ガラス扉５の背後に位置する前枠２の上部には、方形枠状の収容枠（図示せず）が前枠２と一体に設けられており、この収容枠に遊技盤１０が着脱可能にセット保持されてガラス扉５を通して視認可能となっている。なお、図１において、遊技盤１０前面の詳細な記載を省略している。
【００１６】
図２に示すように、前枠２の背面側には、中央に前後連通する窓口を有して前枠２よりもやや小型の方形枠状に形成された裏セット盤３０が、前枠２の背面側に設けられた複数のレバーＬ，Ｌ…を利用して着脱可能にセット保持される。裏セット盤３０の各部には、遊技球を貯留する球貯留タンク３１、球貯留タンク３１から供給された遊技球を流下させる過程で前後２列に整列させるタンクレール３２、所定数量の遊技球を整列状態で待機させる待機通路３３、遊技盤１０における入賞状態等に基づいて遊技球を払い出す球払出装置３４、球払出装置３４から払い出された遊技球を球皿６に導く球払出通路３５などの賞球装置が装備されるとともに、電源基盤９１や主基板９２などの各種回路基盤および電子部品等が取り付けられ、これらの各機器および遊技盤１０の裏面に取り付けられたサブ制御基板９５が図示省略するワイヤーハーネスで接続されている。
【００１７】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が球皿６の背面側に配設される遊技球発射装置により１球ずつ遊技盤１０の遊技領域ＰＡに打ち出され、以降パチンコゲームが展開される。
【００１８】
次に、遊技盤１０について図３〜図１２を追加参照しながら説明する。ここで、図３は遊技盤１０の正面図、図４は図３の回転部材７０を９０度回転させた遊技盤１０の正面図、図５は図３の回転部材７０を１８０度回転させた遊技盤１０の正面図、図６は図３の回転部材７０を２７０度回転させた遊技盤１０の正面図である。また、図７は遊技球が特別入賞口５６に入球する状態の第１振り分け装置８０の正面図、図８は遊技球が球排出口５７に入球する状態の第１振り分け装置８０の正面図、図９は遊技球が特別入賞口５６に入球する状態の第２振り分け装置８５の正面図、図１０は遊技球が球排出口５７に入球する状態の第２振り分け装置８５の正面図、図１１は第３振り分け装置９０の平面図、そして図１２は第４振り分け装置９５の平面図である。
【００１９】
遊技盤１０は、図３に示すように、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成される。遊技盤１０の遊技領域ＰＡには、図示しない遊技釘が多数配設され、遊技領域ＰＡの中央部近傍には、特別図柄表示装置５８や演出図柄表示装置５９が取り付けられたセンター役物５０が配設される。
【００２０】
遊技領域ＰＡの中央下部（センター役物５０の下方）には始動入賞装置１５が設けられ、遊技球が始動入賞装置１５に入球すると、始動入賞装置１５内に設けられた入賞検出センサ２５（図１３を参照）に検出されて遊技盤１０の裏面側へ排出されるようになっている。さらに、始動入賞装置１５の下方には、第１大入賞口１６を開閉可能な第１大入賞装置１７が設けられる。第１大入賞装置１７は、特別遊技中に第１大入賞口ソレノイド２６（図１３を参照）を用いて第１大入賞口１６を開放し、遊技球を第１大入賞口１６に対し通過容易にする。第１大入賞口１６は、遊技領域ＰＡの中央下部に設けられた横長方形状の入賞口であり、第１大入賞口１６が閉鎖状態にあるときには、遊技球は第１大入賞口１６を通過することができず、第１大入賞口１６が開放状態になったときに、遊技球が第１大入賞口１６を通過することができる。遊技球が第１大入賞口１６を通過すると、第１大入賞装置１７内に設けられた入賞検出センサ２７（図１３を参照）に検出されて遊技盤１０の裏面側へ排出されるようになっている。
【００２１】
遊技領域ＰＡの右下部（センター役物５０の右下方）には普通電動役物１８が設けられ、遊技球が普通電動役物１８に入球すると、普通電動役物１８内に設けられた入賞検出センサ２８（図１３を参照）に検出されて遊技盤１０の裏面側へ排出されるようになっている。普通電動役物１８は、閉鎖部材１８ａの下方に隣接して設けられた開閉型入賞装置であり、普通電動役物１８が閉鎖状態にあるときには、入口部分が閉鎖部材１８ａに塞がれて遊技球は普通電動役物１８に入球できず、普通電動役物１８が開放状態にあるときに、遊技球が普通電動役物１８に入球できるようになっている。遊技領域ＰＡの右側（センター役物５０の右方）には、遊技球が通過可能な普通図柄作動ゲート１９が設けられ、この普通図柄作動ゲート１９での遊技球の通過を契機として行われる抽選の結果に基づいて普通図柄を変動表示する普通図柄表示装置２０が、第１大入賞装置１７の左側に設けられている。
【００２２】
遊技領域ＰＡの左下部（センター役物５０の左下方）には、普通入賞装置２１が設けられ、遊技球が普通入賞装置２１に入球すると、普通入賞装置２１内に設けられた入賞検出センサ（図示せず）に検出されて遊技盤１０の裏面側へ排出されるようになっている。また、遊技領域ＰＡの下端には、各入賞装置に入賞せずに落下した遊技球を遊技盤１０の裏面側へ排出させるアウト口２２が設けられている。なお、遊技盤１０の背面側には、各入賞装置に入賞した遊技球を案内する経路を備えた球寄せカバー２３（図２を参照）が取り付けられている。
【００２３】
さて、センター役物５０は、図３に示すように、特別図柄表示装置５８や演出図柄表示装置５９が取り付けられる飾り部材５１と、飾り部材５１の左側部に設けられた第２大入賞装置６０と、飾り部材５１の周部近傍に設けられた回転部材７０と、回転部材７０の前面側に設けられた第１〜第４振り分け装置８０，８５，９０，９５とを主体に構成される。飾り部材５１は、樹脂材料を用いて射出成形等により一体的に形成された種々の構成部品からなり、遊技領域ＰＡの略中央部に形成された開口部（図示せず）に取り付けられる。
【００２４】
飾り部材５１の中央部には、前後に開口した内部空間５２が形成されており、パチンコ機ＰＭの前面側からガラス扉３および内部空間５２を通じて、飾り部材５１の背面側に取り付けられた演出図柄表示装置５９の表示面５９ａを視認できるようになっている。また、飾り部材５１の上部前面側には、特別図柄表示装置５８が取り付けられる。内部空間５２の前部にはステージ部５２ａが形成されており、飾り部材５１の左側部に形成される第２大入賞口５３を通過した遊技球が入球するようになっている。
【００２５】
ステージ部５２ａの前下方には、ステージ部５２ａから前方に転がり落ちた遊技球が通過可能な特別入賞口５６が形成される。この特別入賞口５６は上方を向いて開口しており、遊技球が特別入賞口５６を通過すると、特別入賞口５６に設けられたＶ入賞センサ５６ａ（図１３を参照）に検出されて遊技盤１０の裏面側へ排出されるようになっている。また、特別入賞口５６の両脇には、上方を向いて開口した球排出口５７が形成されており、遊技球が球排出口５７を通過すると、そのまま遊技盤１０の裏面側へ排出されるようになっている。
【００２６】
特別図柄表示装置５８は、発光ダイオード等から構成され、後述する抽選手段１１２による抽選の結果に基づいて特別図柄（図示せず）を変動表示する。演出図柄表示装置５９は、液晶ディスプレイ等から構成され、特別図柄表示装置５８と連動して装飾図柄（図示せず）を表示面５９ａに変動表示する。特別図柄は、始動入賞装置１５への遊技球の入賞（入球）を契機として行われる抽選の結果に基づいて表示される図柄であり、大当たりを発生させるか否かを示す役割を持つ。また、装飾図柄は、特別図柄で示される抽選の結果表示を視覚的に演出するための図柄であり、例えば、スロットマシンの図柄表示を模した複数列の変動図柄として表示面５９ａの中央領域に表示される。
【００２７】
なお、本実施形態における特別図柄は、演出的な役割を持たず、特別図柄表示装置５８により演出図柄と比較して目立たない大きさで表示されるが、これに限られるものではなく、演出図柄を用いずに特別図柄に演出的な役割を持たせ、この特別図柄を演出図柄表示装置５９のような表示装置に表示させるようにしてもよい。また、演出図柄表示装置５９は、液晶ディスプレイに限らず、回転式ドラムや発光ダイオード等を用いた表示手段を有して構成されてもよい。
【００２８】
第２大入賞装置６０は、飾り部材５１の左側部に形成された第２大入賞口５３を開閉可能な開閉部材６１を主体に構成される。第２大入賞口５３は、飾り部材５１の左側内部に形成された内部通路５４と繋がっており、第２大入賞口５３を通過した遊技球が内部通路５４を転がり落ちるようになっている。また、内部通路５４の下流側端部は内部空間５２のステージ部５２ａで開口する球出口５５と繋がっており、内部通路５４を転がり落ちた遊技球が球出口５５を通過してステージ部５２ａに達するようになっている。なお、内部通路５４には、第２大入賞口５３を通過して内部通路５４に達した遊技球を検出する入賞検出センサ６２（図１３を参照）が設けられている。
【００２９】
開閉部材６１は、樹脂材料を用いて羽根状に形成され、飾り部材５１に対し第２大入賞口５３を揺動開閉可能に取り付けられる。なおこのとき、開閉部材６１は飾り部材５１の左側部に位置することになる。また、開閉部材６１は、飾り部材５１の内部に設けられた第２大入賞口ソレノイド６３（図１３を参照）を用いて駆動されるようになっている。そして、第２大入賞口５３が開放状態となるときには、羽根状の開閉部材６１が第２大入賞口５３の側方（左方）へ（横方向に）揺動し、開閉部材６１の上側に達した遊技球を受け止めて第２大入賞口５３へ導くようになっている。これにより、第２大入賞口５３が開放状態となるときには、開閉部材６１により遊技球が第２大入賞口５３に対し通過容易となる。一方、第２大入賞口５３が閉鎖状態となるときには、開閉部材６１が第２大入賞口５３を塞ぐように縦方向に揺動し、遊技球は第２大入賞口５３を通過することができない。
【００３０】
回転部材７０は、樹脂材料を用いて環状（リング状）に形成され、飾り部材５１に対し周方向へ（遊技領域ＰＡに沿って）回転可能に取り付けられる。また、回転部材７０は、飾り部材５１の内部に設けられた回転用モータ７５（図１３を参照）を用いて回転駆動されるようになっている。回転部材７０の前面側には、第１〜第４振り分け装置８０，８５，９０，９５が等間隔に（約９０度の間隔で）配設されており、回転部材７０を回転させることにより、第１〜第４振り分け装置８０，８５，９０，９５のいずれか一つを、回転部材７０の下端側に位置して遊技球を振り分けることが可能な振り分け位置に選択的に位置させることができるようになっている。
【００３１】
第１振り分け装置８０は、図３および図７に示すように、遊技球を通過可能な経路を形成する複数の経路部材８１〜８３を主体に構成され、回転部材７０の回転により回転部材７０の下端側に位置する振り分け位置に位置するときに、内部空間５２のステージ部５２ａに入球した遊技球を特別入賞口５６もしくは球排出口５７のいずれか一方に振り分けて導くようになっている。各経路部材８１〜８３はそれぞれ板状に形成され、図示しないモータ等を用いて、回転部材７０の前面側に沿って回動可能に取り付けられる。
【００３２】
そして、例えば、図７に示すように、中央の経路部材８１が回動して下方を向くとともに、左右の経路部材８２，８３が回動してそれぞれ右方および左方を向くときには、ステージ部５２ａに入球して前方に転がり落ちる遊技球Ｂが中央の経路部材８１と右側の経路部材８３との間を落下して特別入賞口５６を通過するようになっている。一方、図８に示すように、中央の経路部材８１が回動して右方を向くとともに、左右の経路部材８２，８３が回動してそれぞれ下方を向くときには、ステージ部５２ａに入球して前方に転がり落ちる遊技球Ｂが中央の経路部材８１で受け止められた後、中央の経路部材８１と左側の経路部材８２もしくは右側の経路部材８３との間を落下して球排出口５７を通過するようになっている。
【００３３】
第２振り分け装置８５は、図６および図９に示すように、左右に伸びる板状のステージ部材８６を主体に構成され、回転部材７０の回転により回転部材７０の下端側に位置する振り分け位置に位置するときに、内部空間５２のステージ部５２ａに入球した遊技球を特別入賞口５６もしくは球排出口５７のいずれか一方に振り分けて導くようになっている。ステージ部材８６は、左右両端から中央に向けて緩やかに下方へ傾斜するように形成され、その中央上部には、遊技球を案内するガイド溝８７が前方へ向かうにつれて緩やかに下方へ傾斜するように形成される。
【００３４】
そして、ステージ部５２ａに入球して前方に転がり落ちる遊技球は、ステージ部材８６の上側に落下して受け止められるとともに、ステージ部材８６の上を一時的に左右へ転がり移動し、ガイド溝８７に案内されて特別入賞口５６もしくは球排出口５７へ向けて落下するようになっている。また、ステージ部材８６は、図示しないモータやボールねじ等を用いて、回転部材７０の前面側に左右へ往復移動可能に取り付けられており、図９に示すように、ステージ部材８６が中央側に位置するときには、ガイド溝８７に案内された遊技球Ｂは落下して特別入賞口５６を通過するようになっている。一方、図１０に示すように、ステージ部材８６が左側もしくは右側に位置するときには、ガイド溝８７に案内された遊技球Ｂは落下して球排出口５７を通過するようになっている。
【００３５】
第３振り分け装置９０は、図５および図１１に示すように、上面を遊技球が転がり移動可能な転動皿９１を主体に構成され、回転部材７０の回転により回転部材７０の下端側に位置する振り分け位置に位置するときに、内部空間５２のステージ部５２ａに入球した遊技球を特別入賞口５６もしくは球排出口５７のいずれか一方に振り分けて導くようになっている。転動皿９１は、丸い皿状に形成され、図１１に示すように、遊技球が通過可能な４つの球通過孔９２ａ〜９２ｄが等間隔に（約９０度の間隔で）形成されている。
【００３６】
そして、ステージ部５２ａに入球して前方に転がり落ちる遊技球は、転動皿９１の上側に落下して受け止められるとともに、転動皿９１の上を旋回するように転がり移動し、第１〜第４球通過孔９２ａ〜９２ｄのいずれかに落入して特別入賞口５６もしくは球排出口５７へ向けて落下するようになっている。このとき、例えば、第１球通過孔９２ａに落入した遊技球Ｂが特別入賞口５６へ向けて落下し、他の第２〜第４球通過孔９２ｂ〜９２ｄに落入した遊技球が球排出口５７へ向けて落下するようになっている。
【００３７】
第４振り分け装置９５は、図４および図１２に示すように、上面を遊技球が転がり移動可能な転動皿９６を主体に構成され、回転部材７０の回転により回転部材７０の下端側に位置する振り分け位置に位置するときに、内部空間５２のステージ部５２ａに入球した遊技球を特別入賞口５６もしくは球排出口５７のいずれか一方に振り分けて導くようになっている。転動皿９６は、丸い皿状に形成され、図１２に示すように、遊技球が通過可能な２つの球通過孔９７ａ，９７ｂが等間隔に（約１８０度の間隔で）形成されている。
【００３８】
そして、ステージ部５２ａに入球して前方に転がり落ちる遊技球は、転動皿９６の上側に落下して受け止められるとともに、転動皿９６の上を旋回するように転がり移動し、第１および第２球通過孔９７ａ，９７ｂのいずれかに落入して特別入賞口５６もしくは球排出口５７へ向けて落下するようになっている。このとき、例えば、第１球通過孔９７ａに落入した遊技球Ｂが特別入賞口５６へ向けて落下し、第２球通過孔９７ｂに落入した遊技球が球排出口５７へ向けて落下するようになっている。このように、第３振り分け装置９０の転動皿９１に形成される球通過孔の数は４つである一方、第４振り分け装置９５の転動皿９６に形成される球通過孔の数は２つであり、遊技球が第４振り分け装置９５により振り分けられて特別入賞口５６に入賞（入球）する確率は、第３振り分け装置９０により振り分けられて特別入賞口５６に入賞（入球）する確率よりも高くなっている。
【００３９】
続いて、パチンコ機ＰＭに構成される遊技制御装置１００について図１３を参照しながら説明する。ここで、図１３は遊技制御装置１００の概要を示すブロック図である。この遊技制御装置１００は、主基板９２や、サブ制御基板９５等から構成される（図１３では不図示）。遊技制御装置１００には、始動入賞装置１５、普通図柄作動ゲート１９、普通電動役物１８、第１大入賞装置１７、第２大入賞装置６０、特別入賞口５６に設けられたＶ入賞センサ５６ａ、特別図柄表示装置５８、装飾図柄表示装置５９、普通図柄表示装置２０等が電気的に接続されており、各種検出信号および制御信号の送受信が行われるようになっている。
【００４０】
また、遊技制御装置１００は、各入賞装置への入球（入賞）を判定する入球判定手段１１０と、始動入賞装置１５への遊技球の入賞に基づき特別図柄抽選を実行する第１抽選手段１１２と、普通図柄作動ゲート１９での遊技球の通過に基づき普通図柄抽選を実行する第２抽選手段１１４と、特別図柄、装飾図柄、普通図柄の変動表示パターンを保持するパターン記憶手段１１６と、図柄変動における停止図柄および変動表示の表示パターンを決定する図柄決定手段１２０と、図柄等の表示を制御する表示制御手段１３０と、大当たり遊技等の通常遊技よりも遊技者に有利な特別遊技を制御する特別遊技制御手段１４０と、第１大入賞装置１７や第２大入賞装置６０等の開閉制御を行う開閉制御手段１７０と、回転部材７０を回転させる回転用モータ７５の回転制御を行う回転制御手段１８０とを備えて構成される。
【００４１】
始動入賞装置１５の入賞検出センサ１５は、始動入賞装置１５への遊技球の入球（入賞）を検出し、第１始動入賞情報を出力する。入球判定手段１１０は、第１始動入賞情報を受信すると遊技球が始動入賞装置１５に入球したことを判定する。始動入賞装置１５への入球が判定されると、第１抽選手段１１２は、保留球数が上限に達しているか否かを調べる。例えば、保留球数の上限は４つに設定されている。保留球数が上限に達していない場合、入球判定手段１１０が第１始動入賞情報を受信したタイミングで、第１抽選手段１１２は始動入賞に対する乱数を取得する。なお、第１抽選手段１１２は、数学的に乱数を生成して取得してもよく、また図示しないカウンタにより生成されるカウント値を乱数として取得してもよい。このようにして取得した乱数に基づいて、第１抽選手段１１２は特別図柄抽選の当否を判定する。なお、抽選の当否判定は、乱数の取得と同時に行われてもよく、また、特別図柄の変動を開始する直前に行われてもよく、所定の抽選ソフトウェアを利用して行われる。
【００４２】
図柄決定手段１２０における特別図柄決定手段１２２および装飾図柄決定手段１２４は、第１抽選手段１１２による判定結果に応じた停止図柄と、図柄変動の表示パターンとを決定する。停止図柄は、図柄変動の終了時に表示するべき図柄である。パターン記憶手段１１６は、特別図柄や装飾図柄を変動表示させるときの表示パターンとして複数種のパターンを保持する。表示パターンには、通常の外れ図柄を表示するときのパターンと、リーチ状態を経て大当たり図柄を表示するときのパターンとが含まれる。また、リーチ状態を経るときのパターンとして、長短様々な表示時間をもつパターンが含まれる。各表示パターンは、その図柄変動の終了条件として表示時間がそれぞれ定められており、その表示時間が経過すると、図柄変動が停止される。
【００４３】
特別図柄決定手段１２２は、第１抽選手段１１２による抽選結果に応じてパターン記憶手段１１６からいずれかのパターンを選択し、抽選結果に応じた特別図柄の停止図柄を決定する。装飾図柄決定手段１２４は、特別図柄決定手段１２２のより選択された表示パターンに応じたパターンをパターン記憶手段１１６から選択し、抽選結果に応じた特別図柄の停止図柄を決定する。
【００４４】
普通図柄作動ゲート１９には通過検出センサ２９が設けられており、普通図柄作動ゲート１９での遊技球の通過を検出し、第２始動入賞情報を出力するようになっている。入球判定手段１１０は、第２始動入賞情報を受信すると遊技球が普通図柄作動ゲート１９を通過したことを判定する。普通図柄作動ゲート１９の通過が判定されると、第２抽選手段１１４は、第１抽選手段１１２と同様に、保留球数が上限に達しているか否かを調べ、保留球数が上限に達していない場合、入球判定手段１１０が第２始動入賞情報を受信したタイミングで、始動入賞に対する乱数を取得する。このようにして取得した乱数に基づいて、第２抽選手段１１４は普通図柄抽選の当否を判定する。なお、抽選の当否判定は、乱数の取得と同時に行われてもよく、また、特別図柄の変動を開始する直前に行われてもよく、所定の抽選ソフトウェアを利用して行われる。
【００４５】
図柄決定手段１２０における普通図柄決定手段１２６は、第２抽選手段１１４による抽選結果に応じてパターン記憶手段１１６からいずれかのパターンを選択し、抽選結果に応じた普通図柄の停止図柄を決定する。普通図柄決定手段１２６により決定された停止図柄が特定の図柄であった場合、開閉制御手段１７０が普通電動役物１８を所定時間だけ拡開作動させる。
【００４６】
表示制御手段１３０は、特別図柄および装飾図柄を変動表示させる第１表示制御手段１３１と、普通図柄を変動表示させる第２表示制御手段１３２とを有して構成される。第１表示制御手段１３１は、特別図柄決定手段１２２において決定された変動パターンおよび停止図柄をもとに、特別図柄表示装置５８に特別図柄を表示させる。また同時に、第１表示制御手段１３１は、装飾図柄決定手段１２４において決定された変動パターンおよび停止図柄をもとに、装飾図柄表示装置５９に装飾図柄を表示させる。第１表示制御手段１３１により特別図柄を表示させる機能は主基板９２側の処理として実行され、装飾図柄を表示させる機能はサブ制御基板９５側の処理として実行される。第２表示制御手段１３２は、普通図柄決定手段１２６において決定された変動パターンおよび停止図柄をもとに、普通図柄表示装置２０に普通図柄を表示させる。
【００４７】
またこのとき、回転制御手段１８０は、回転部材７０の回転用モータ７５に作動信号を出力し、第１抽選手段１１２による抽選結果に応じて、第１〜第４振り分け装置におけるいずれか一つを前述の振り分け位置に位置させるように回転部材７０および回転用モータ７５の作動を制御する。
【００４８】
特別遊技制御手段１４０は、２種類の特別遊技を選択的に実行することができる。特別遊技制御手段１４０において、条件保持手段１４２は、２種類の特別遊技の作動条件を保持する。特別遊技実行手段１４８は、所定の作動条件が成立したことに基づいて特別遊技を実行する機能を有する。
【００４９】
条件保持手段１４２における第１条件保持手段１４３は、第１の特別遊技を実行するための条件である第１作動条件を保持している。本実施形態において第１作動条件は、第１表示制御手段１３１により変動表示される特別図柄が特別図柄表示装置５８において所定の図柄で停止されたことに設定される。また、第２条件保持手段１４４は、第２の特別遊技を実行するための条件である第２作動条件を保持している。本実施形態において第２作動条件は、普通電動役物１８に遊技球が入賞（入球）したことに設定される。
【００５０】
特別遊技制御手段１４０における条件判定手段１４６は、遊技情報を監視し、特別遊技への移行条件である第１作動条件または第２作動条件の成立の可否を判定する。また、条件判定手段１４６は、それぞれの作動条件の判定結果をもとに、各種作動フラグのオンまたはオフの設定を行う。
【００５１】
特別遊技実行手段１４８における第１特別遊技実行手段１４９は、第１作動条件が成立すると、第１の特別遊技を実行する。ここで、第１の特別遊技は、第１大入賞装置１７による第１大入賞口１６の開閉操作を複数回連続して継続する遊技であり、第１の特別遊技に移行すると、遊技者は特別遊技が行われていることを容易に認識することができるとともに、相当数の賞球を期待することができる。このとき、第１特別遊技実行手段１４９は、開閉制御手段１７０に第１大入賞口１６の開閉制御を行わせる。開閉制御手段１７０は、第１の特別遊技中、第１大入賞装置１７の第１大入賞口ソレノイド２６に開放作動信号（もしくは、閉鎖作動信号）を出力し、第１大入賞口１６を開放（もしくは、閉鎖）させる。
【００５２】
特別遊技実行手段１４８における第２特別遊技実行手段１５０は、第２作動条件が成立すると、第２の特別遊技を実行する。ここで、第２の特別遊技は、第１段階と第２段階の２段階に分けられる。第１段階では、第２特別遊技実行手段１５０は、開閉制御手段１７０に第２大入賞口５３を所定時間だけ開放する制御を行わせる。このとき、開閉制御手段１７０は、第２大入賞装置６０の第２大入賞口ソレノイド６３に開放作動信号を出力し、開閉部材６１を揺動させて第２大入賞口５３を開放させる。さらに、第１段階において、Ｖ入賞センサ５６ａからＶ入賞情報を受信すると、第２段階に移行する。なお、Ｖ入賞情報は、Ｖ入賞センサ５６ａが特別入賞口５６の遊技球の通過を検出したときに、Ｖ入賞センサ５６ａから出力される。
【００５３】
第２の特別遊技における第２段階は、第１大入賞装置１７による第１大入賞口１６の開閉操作を複数回連続して継続する段階であり、第２段階に移行すると、遊技者は、第１の特別遊技と同様に、相当数の賞球を期待することができる。このとき、第２特別遊技実行手段１５０は、開閉制御手段１７０に第１大入賞口１６の開閉制御を行わせる。開閉制御手段１７０は、第２段階の間、第１大入賞装置１７の第１大入賞口ソレノイド２６に開放作動信号（もしくは、閉鎖作動信号）を出力し、第１大入賞口１６を開放（もしくは、閉鎖）させる。
【００５４】
特別遊技制御手段１４０における作動回避手段１５２は、第１作動条件および第２作動条件のいずれか一方の作動条件が成立したとき、他方の作動条件の成立を回避させる機能を有する。本実施形態おいて、第２作動条件の成立は、第２の特別遊技の第１段階への移行条件が成立したことを示し、第１段階および第２段階を通して第２の特別遊技が続く限り第２作動条件が成立しているものとする。したがって、第２作動条件の成立中であって、第２の特別遊技における第１段階または第２段階が実行されている間は、第１作動条件の成立が回避される。一方、第１作動条件の成立中は、第２作動条件の成立が回避されるので、第２の特別遊技における第１段階および第２段階のいずれも実行されない。
【００５５】
以上のように構成されるパチンコ機ＰＭにおいて、遊技領域ＰＡを転がり落ちる遊技球が始動入賞装置１５に入賞（入球）すると、第１抽選手段１１２により所定の抽選ソフトウェアを利用した特別図柄抽選が行われ、特別図柄表示装置５８および演出図柄表示装置５９において特別図柄および装飾図柄が所定時間だけ変動表示される。変動停止時の特別図柄が大当たりを示す図柄である場合、第１の特別遊技に移行する。特別図柄が大当たりの図柄で停止するとき、演出図柄表示装置５９の表示面５９ａには、例えば、スロットマシンの図柄表示を模した装飾図柄が３つの図柄を一致させるような表示態様を有して表示される。
【００５６】
第１の特別遊技においては、第１大入賞装置１７の作動により第１大入賞口１６が開放される。そして、第１大入賞口１６が約３０秒間開放された後、または９球以上の遊技球が第１大入賞口１６を通過して第１大入賞装置１７に入賞した後、第１大入賞口１６が一旦閉鎖され、このような開閉動作が所定回数継続して繰り返される。なおこのとき、第１抽選手段１１２による抽選結果に応じて回転部材７０が断続的に回転し、第１〜第４振り分け装置８０，８５，９０，９５におけるいずれか一つが前述の振り分け位置に位置して停止するようになっている。
【００５７】
ところで、遊技球が普通図柄作動ゲート１９を通過すると、第２抽選手段１１４により所定の抽選ソフトウェアを利用した普通図柄抽選が行われ、普通図柄表示装置２０において普通図柄が所定時間だけ変動表示される。なお、普通図柄は、例えば、演出図柄表示装置５９における表示面５９ａの隅の方に（装飾図柄とは別に）変動表示させてもよく、他の表示装置において変動表示させるようにしてもよい。そして、変動停止時の普通図柄が所定の図柄（当たりを示す図柄）である場合、普通電動役物１８が所定時間だけ開放される。
【００５８】
開放された普通電動役物１８に遊技球が入賞（入球）すると、第２の特別遊技における第１段階に移行し、第２大入賞装置６０の作動により第２大入賞口５３が開放され、第２大入賞口５３が所定時間だけ開放状態となる。遊技球が第２入賞口５３を通過して第２大入賞装置６０に入賞すると、飾り部材５１の内部通路５４を転がり落ちた後、球出口５５を通過して内部空間５２のステージ部５２ａに達する。ステージ部５２ａに達した遊技球は、ステージ部５２ａ上を前方に転がり移動して前述の振り分け位置に位置するいずれかの振り分け装置に向けて落下する。
【００５９】
このとき、図３に示すように、第１振り分け装置８０が振り分け位置に位置する場合、第１振り分け装置８０が落下した遊技球を特別入賞口５６もしくは球排出口５７のいずれか一方に振り分けて導く。また、図６に示すように、第２振り分け装置８５が振り分け位置に位置する場合、第２振り分け装置８５が落下した遊技球を特別入賞口５６もしくは球排出口５７のいずれか一方に振り分けて導く。同様に、図５に示すように、第３振り分け装置９０が振り分け位置に位置する場合、第３振り分け装置９０が落下した遊技球を特別入賞口５６もしくは球排出口５７のいずれか一方に振り分けて導く。また同様に、図４に示すように、第４振り分け装置９５が振り分け位置に位置する場合、第４振り分け装置９５が落下した遊技球を特別入賞口５６もしくは球排出口５７のいずれか一方に振り分けて導く。
【００６０】
そして、遊技球が球排出口５７に導かれてこれを通過すると、遊技球はそのまま遊技盤１０の裏面側へ排出される。一方、遊技球が特別入賞口５６に導かれてこれを通過すると、第２の特別遊技における第２段階に移行し、第１の特別遊技と同様に、第１大入賞装置１７の作動による第１大入賞口１６の開閉動作が所定回数継続して繰り返される。
【００６１】
以上に説明した本発明の実施形態において、達成される主要な効果を整理すれば、下記のようになる。
【００６２】
第１に、本実施形態のセンター役物５０によれば、回転部材７０を回転させることにより、複数の振り分け装置８０，８５，９０，９５におけるいずれか一つを、内部空間５２（ステージ部５２ａ）に入球した遊技球を振り分けることが可能な振り分け位置に選択的に位置させることができるように構成されるため、複数の振り分け装置により遊技球を振り分けるパターンを増やすことが可能になり、遊技性を向上させることができる。
【００６３】
第２に、遊技の展開に応じて（例えば、第１抽選手段１１２による抽選結果に応じて）回転部材７０が断続的に回転することにより、複数の振り分け装置８０，８５，９０，９５におけるいずれか一つが振り分け位置に位置して停止するように構成されることで、振り分け装置が振り分け位置に位置しない状態で遊技球が内部空間５２（ステージ部５２ａ）を転がり落ちてしまうのを防止することができる。
【００６４】
第３に、遊技の展開に応じて（例えば、普通電動役物１８に遊技球が入賞したときに）第２大入賞口５３を開閉可能な第２大入賞装置６０を有して構成されることで、例えば、（開閉制御手段１７０等により）回転部材７０の回転中は第２大入賞装置６０により第２大入賞口５３を閉鎖しておくようにすれば、振り分け装置が振り分け位置に位置しない状態で遊技球が内部空間５２（ステージ部５２ａ）を転がり落ちてしまうのをより確実に防止することができる。
【００６５】
なお、上述の実施形態において、回転部材７０が環状に形成されているが、これに限られるものではなく、例えば八角形等、多角形形状を含む任意の枠状に形成されてもよい。
【００６６】
また、上述の実施形態において、回転部材７０に第１〜第４振り分け装置８０，８５，９０，９５が設けられているが、これに限られるものではなく、例えば、３つの振り分け装置でも６つの振り分け装置でもよく、複数の振り分け装置が設けられていればよい。
【００６７】
さらに、上述の実施形態において、いわゆる第１種および第２種パチンコ遊技機を組み合わせた構成を用いて説明しているが、これに限られるものではなく、第２種パチンコ遊技機においても、本発明を適用することができる。
【００６８】
また、上述の実施形態において、第１抽選手段１１２による抽選結果に応じて回転部材７０が断続的に回転するように構成されているが、これに限られるものではなく、回転部材をランダムに回転させるようにしてもよい。
【図面の簡単な説明】
【００６９】
【図１】パチンコ機の正面図である。
【図２】パチンコ機の背面図である。
【図３】遊技盤の正面図である。
【図４】図３の回転部材を９０度回転させた遊技盤の正面図である。
【図５】図３の回転部材を１８０度回転させた遊技盤の正面図である。
【図６】図３の回転部材を２７０度回転させた遊技盤の正面図である。
【図７】遊技球が特別入賞口に入球する状態の第１振り分け装置の正面図である。
【図８】遊技球が球排出口に入球する状態の第１振り分け装置の正面図である。
【図９】遊技球が特別入賞口に入球する状態の第２振り分け装置の正面図である。
【図１０】遊技球が球排出口に入球する状態の第２振り分け装置の正面図である。
【図１１】第３振り分け装置の平面図である。
【図１２】第４振り分け装置の平面図である。
【図１３】遊技制御装置の概要を示すブロック図である。
【符号の説明】
【００７０】
ＰＭ  パチンコ機（弾球遊技機）
ＰＡ  遊技領域
１０  遊技盤
５０  センター役物（遊技部品）
５１  飾り部材
５２  内部空間（５２ａ  ステージ部）
５３  第２大入賞口（入球口）
５６  特別入賞口（入賞口）
５７  球排出口
６０  第２大入賞装置（開閉装置）
６１  開閉部材
７０  回転部材
８０  第１振り分け装置
８５  第２振り分け装置
９０  第３振り分け装置
９５  第４振り分け装置
【図１】
2008079785.tif 000003
【図２】
2008079785.tif 000004
【図３】
2008079785.tif 000005
【図４】
2008079785.tif 000006
【図５】
2008079785.tif 000007
【図６】
2008079785.tif 000008
【図７】
2008079785.tif 000009
【図８】
2008079785.tif 000010
【図９】
2008079785.tif 000011
【図１０】
2008079785.tif 000012
【図１１】
2008079785.tif 000013
【図１２】
2008079785.tif 000014
【図１３】
2008079785.tif 000015